【手続補正書】
【提出日】平成25年6月26日(2013.6.26)
【手続補正１】
【補正対象書類名】特許請求の範囲
【補正対象項目名】全文
【補正方法】変更
【補正の内容】
【特許請求の範囲】
【請求項１】
複数のオブジェクトを含む表示画面を表示する表示部を有する情報処理装置であって、
オブジェクトに対する操作を受け付ける操作受付手段と、
前記操作受付手段で受け付ける操作の開始位置である操作開始位置からのカーソルの移動方向と、前記操作開始位置にあるオブジェクトである第１のオブジェクトとは別のオブジェクトである第２のオブジェクトとの位置関係とに応じて、前記操作受付手段で受け付けた操作を、前記第１のオブジェクトを選択するオブジェクト選択操作とするか、範囲選択を行う範囲選択操作とするかを決定する決定手段と、
前記決定手段で決定した内容に応じて、前記操作受付手段で受け付けた操作を、前記オブジェクト選択操作、又は前記範囲選択操作として実行する選択操作制御手段と、
を備えることを特徴とする情報処理装置。
【請求項２】
前記決定手段は、前記カーソルが前記操作開始位置から前記第２のオブジェクトに近付く方向である第１の方向に移動した場合に、前記操作種別を範囲選択操作とすることを決定し、前記カーソルが前記操作開始位置から前記第１の方向とは異なる方向に移動した場合に前記操作種別をオブジェクト選択操作とすることを決定することを特徴とする請求項１に記載の情報処理装置。
【請求項３】
前記第２のオブジェクトは、前記第１のオブジェクトの前面に表示され、
前記決定手段は、前記カーソルが前記操作開始位置から、前記第１のオブジェクトの前面に表示された前記第２のオブジェクトに近付く方向である第１の方向に移動した場合に、前記操作種別を範囲選択操作とし、前記第１の方向とは異なる方向に移動した場合に前記操作種別をオブジェクト選択操作とすることを決定することを特徴とする請求項１又は２に記載の情報処理装置。
【請求項４】
前記操作開始位置特定手段で特定した操作開始位置が、前記第１のオブジェクトとは別のオブジェクトである単一または複数の前記第２のオブジェクトの全体を含む矩形の角の対頂角を有する領域である対頂角領域内に位置するか否かを判定する領域判定手段
をさらに備え、
前記決定手段は、前記領域判定手段で、前記操作開始位置が前記対頂角領域内に位置すると判定した場合に、前記操作開始位置からのカーソルの移動方向と、前記第２のオブジェクトとの位置関係とに応じて、前記操作受付手段で受け付けた操作を、前記オブジェクト選択操作とするか、前記範囲選択操作とするかを決定することを特徴とする請求項１乃至３のいずれか１項に記載の情報処理装置。
【請求項５】
前記第２のオブジェクトと同一のグループに属しているオブジェクトを特定するグループオブジェクト特定手段
をさらに備え、
前記領域判定手段は、前記操作開始位置が、前記第２のオブジェクトと前記第２のオブジェクトと同一のグループに属しているオブジェクトとして特定されたオブジェクトとを含む矩形領域に対する対頂角領域に位置しているか否かを判定することを特徴とする請求項４に記載の情報処理装置。
【請求項６】
前記決定手段により決定された操作種別に応じて、前記カーソルの表示を切り替えるカーソル切替手段
を備えることを特徴とする請求項１乃至５のいずれか１項に記載の情報処理装置。
【請求項７】
複数のオブジェクトを含む表示画面を表示する表示部を有する情報処理装置の制御方法であって、
操作受付手段が、オブジェクトに対する操作を受け付ける操作受付工程と、
決定手段が、前記操作受付工程で受け付ける操作の開始位置である操作開始位置からのカーソルの移動方向と、前記操作開始位置にあるオブジェクトである第１のオブジェクトとは別のオブジェクトである第２のオブジェクトとの位置関係とに応じて、前記操作受付工程で受け付けた操作を、前記第１のオブジェクトを選択するオブジェクト選択操作とするか、範囲選択を行う範囲選択操作とするかを決定する決定工程と、
選択操作制御手段が、前記決定工程で決定した内容に応じて、前記操作受付工程で受け付けた操作を、前記オブジェクト選択操作、又は前記範囲選択操作として実行する選択操作制御工程と、
を含むことを特徴とする情報処理装置の制御方法。
【請求項８】
複数のオブジェクトを含む表示画面を表示する表示部を有する情報処理装置で実行が化可能なプログラムであって、
前記情報処理装置を、
オブジェクトに対する操作を受け付ける操作受付手段と、
前記操作受付手段で受け付ける操作の開始位置である操作開始位置からのカーソルの移動方向と、前記操作開始位置にあるオブジェクトである第１のオブジェクトとは別のオブジェクトである第２のオブジェクトとの位置関係とに応じて、前記操作受付手段で受け付けた操作を、前記第１のオブジェクトを選択するオブジェクト選択操作とするか、範囲選択を行う範囲選択操作とするかを決定する決定手段と、
前記決定手段で決定した内容に応じて、前記操作受付手段で受け付けた操作を、前記オブジェクト選択操作、又は前記範囲選択操作として実行する選択操作制御手段として機能させることを特徴とする情報処理装置のプログラム。
【請求項９】
前記決定手段は、前記カーソルが前記操作開始位置から前記第２のオブジェクトに近付く方向である第１の方向に移動した場合に、前記操作種別を範囲選択操作とすることを決定し、前記カーソルが前記操作開始位置から前記第１の方向とは異なる方向に移動した場合に前記操作種別をオブジェクト選択操作とすることを決定することを特徴とする請求項１に記載の情報処理装置のプログラム。
【請求項１０】
前記第２のオブジェクトは、前記第１のオブジェクトの前面に表示され、
前記決定手段は、前記カーソルが前記操作開始位置から、前記第１のオブジェクトの前面に表示された前記第２のオブジェクトに近付く方向である第１の方向に移動した場合に、前記操作種別を範囲選択操作とし、前記第１の方向とは異なる方向に移動した場合に前記操作種別をオブジェクト選択操作とすることを決定することを特徴とする請求項１又は２に記載の情報処理装置のプログラム。
【請求項１１】
前記情報処理装置を、
前記操作開始位置特定手段で特定した操作開始位置が、前記第１のオブジェクトとは別のオブジェクトである単一または複数の前記第２のオブジェクトの全体を含む矩形の角の対頂角を有する領域である対頂角領域内に位置するか否かを判定する領域判定手段として機能させ、
前記決定手段は、前記領域判定手段で、前記操作開始位置が前記対頂角領域内に位置すると判定した場合に、前記操作開始位置からのカーソルの移動方向と、前記第２のオブジェクトとの位置関係とに応じて、前記操作受付手段で受け付けた操作を、前記オブジェクト選択操作とするか、前記範囲選択操作とするかを決定することを特徴とする請求項８乃至１０のいずれか１項に記載の情報処理装置のプログラム。
【請求項１２】
前記情報処理装置を、
前記第２のオブジェクトと同一のグループに属しているオブジェクトを特定するグループオブジェクト特定手段として機能させ、
前記領域判定手段は、前記操作開始位置が、前記第２のオブジェクトと前記第２のオブジェクトと同一のグループに属しているオブジェクトとして特定されたオブジェクトとを含む矩形領域に対する対頂角領域に位置しているか否かを判定することを特徴とする請求項１１に記載の情報処理装置のプログラム。
【請求項１３】
前記情報処理装置を、
前記決定手段により決定された操作種別に応じて、前記カーソルの表示を切り替えるカーソル切替手段として機能させることを特徴とする請求項８乃至１２のいずれか１項に記載の情報処理装置のプログラム。
【手続補正２】
【補正対象書類名】明細書
【補正対象項目名】０００６
【補正方法】変更
【補正の内容】
【０００６】
特許文献１及び特許文献２では、オブジェクトを範囲選択する際の手間を解消することは考慮されているが、オブジェクトの単一選択とオブジェクトの範囲選択を切り替える操作が必要なため、新たな手間が生まれている。本発明は、カーソルの移動方向の情報を用いて、受け付けた操作をオブジェクトの単一選択とするか、オブジェクトの範囲選択とするかを決定することが出来る情報処理装置、その制御方法及びプログラムを提供することを目的とする。
【手続補正３】
【補正対象書類名】明細書
【補正対象項目名】０００７
【補正方法】変更
【補正の内容】
【０００７】
本発明の情報処理装置は、複数のオブジェクトを含む表示画面を表示する表示部を有する情報処理装置であって、オブジェクトに対する操作を受け付ける操作受付手段と、前記操作受付手段で受け付ける操作の開始位置である操作開始位置からのカーソルの移動方向と、前記操作開始位置にあるオブジェクトである第１のオブジェクトとは別のオブジェクトである第２のオブジェクトとの位置関係とに応じて、前記操作受付手段で受け付けた操作を、前記第１のオブジェクトを選択するオブジェクト選択操作とするか、範囲選択を行う範囲選択操作とするかを決定する決定手段と、前記決定手段で決定した内容に応じて、前記操作受付手段で受け付けた操作を、前記オブジェクト選択操作、又は前記範囲選択操作として実行する選択操作制御手段と、を備えることを特徴とする。
【手続補正４】
【補正対象書類名】明細書
【補正対象項目名】０００８
【補正方法】変更
【補正の内容】
【０００８】
本発明によれば、カーソルの移動方向の情報を用いて、受け付けた操作をオブジェクトの単一選択とするか、オブジェクトの範囲選択とするかを決定することが出来る情報処理装置、その制御方法及びプログラムを提供することが出来る。
【手続補正５】
【補正対象書類名】明細書
【補正対象項目名】００６３
【補正方法】変更
【補正の内容】
【００６３】
尚、ステップＳ８０３の判定の対象とする子オブジェクトは、押下指示の受付時開始時の位置を起点とした範囲選択の選択領域に含めることが可能な子オブジェクトである。